(57)【特許請求の範囲】
【請求項１】
内部に電装品が取り付けられるとともに底面にワイヤハーネスが接続されるケース本体と、前記ケース本体の下側部分が結合可能な上部開口を有するロアカバーとを備え、前記ケース本体の下端部に、単一平面をなす環状のパッキンを設けるとともに、前記ロアカバーの側壁に前記ワイヤハーネスを外部に引き出すための切欠部を形成し、同切欠部に前記ワイヤハーネスを挿通させるためのグロメットの基端部を嵌合させた電気接続箱の防水構造において、
前記グロメットを前記パッキンよりも硬質のゴム材を用いて形成し、
前記グロメットの基端部における外周面上側にパッキン押さえリブを突設し、同パッキン押さえリブを前記パッキンに対して圧接させる一方、
前記グロメットの基端部における外周面に少なくとも１つの突起を突設するとともに、前記切欠部に前記突起を係合させるための被係合部を設ける他方、
前記パッキンを前記ケース本体の下端部に設けられたパッキン収容溝内に収容するとともに、前記パッキン押さえリブを同パッキン収容溝内に配置し、
さらに前記グロメットの基端部を、前記ケース本体の下端縁が当接される外側部と、前記ロアカバーの上端縁の高さと一致する内側部と、それら外側部と内側部とに挟持された前記パッキン押さえリブとを一体形成することにより構成したことを特徴とする電気接続箱の防水構造。
【発明の詳細な説明】
【０００１】
【発明の属する技術分野】
本発明は、電気接続箱の防水構造に関するものである。
【０００２】
【従来の技術】
従来、自動車の電気回路に使用されるジャンクションボックス、リレーボックス、ヒュージブルリンクボックス、電気制御ユニット等の各種電気接続箱が提案されている。
【０００３】
図６〜図８に示すように、電気接続箱４１は、ケース本体４２、アッパカバー４３及びロアカバー４４により構成されている。ケース本体４２の内部には図示しない電装品が取り付けられている。ケース本体４２の底面には図示しないワイヤハーネスが接続されている。ケース本体４２の下側部分には上部開口を有するロアカバー４４が結合されている。ロアカバー４４の側壁には、ワイヤハーネスを外部に引き出すための切欠部４５が形成されている。切欠部４５には、ゴム製のグロメット４６の基端部が嵌合されている。グロメット４６には図示しないワイヤハーネスが挿通されている。以上の構成により、電気接続箱４１に対する水の侵入がある程度防止されるようになっている。
【０００４】
【発明が解決しようとする課題】
ところが、従来の電気接続箱４１における防水構造は上記の通り簡易なものであったため、グロメット４６−ケース本体４２間や、グロメット４６−ロアカバー４４間に隙間が生じやすく、そこから水が侵入しやすかった。また、図７に示す矢印Ｆ１方向に力を加えた場合、グロメット４６が電気接続箱４１から簡単に抜けてしまうという問題があった。
【０００５】
本発明は上記の課題に鑑みてなされたものであり、その第１の目的は、水の侵入を確実に防止することができる電気接続箱の防水構造を提供することにある。さらに、第２の目的は、グロメットが抜けるのを防止することができる電気接続箱の防水構造を提供することにある。
【０００６】
【課題を解決するための手段】
上記の課題を解決するために、請求項１に記載の発明では、内部に電装品が取り付けられるとともに底面にワイヤハーネスが接続されるケース本体と、前記ケース本体の下側部分が結合可能な上部開口を有するロアカバーとを備え、前記ケース本体の下端部に、単一平面をなす環状のパッキンを設けるとともに、前記ロアカバーの側壁に前記ワイヤハーネスを外部に引き出すための切欠部を形成し、同切欠部に前記ワイヤハーネスを挿通させるためのグロメットの基端部を嵌合させた電気接続箱の防水構造において、前記グロメットを前記パッキンよりも硬質のゴム材を用いて形成し、前記グロメットの基端部における外周面上側にパッキン押さえリブを突設し、同パッキン押さえリブを前記パッキンに対して圧接させる一方、前記グロメットの基端部における外周面に少なくとも１つの突起を突設するとともに、前記切欠部に前記突起を係合させるための被係合部を設ける他方、前記パッキンを前記ケース本体の下端部に設けられたパッキン収容溝内に収容するとともに、前記パッキン押さえリブを同パッキン収容溝内に配置し、さらに前記グロメットの基端部を、前記ケース本体の下端縁が当接される外側部と、前記ロアカバーの上端縁の高さと一致する内側部と、それら外側部と内側部とに挟持された前記パッキン押さえリブとを一体形成することにより構成したことを要旨とする。
【０００９】
以下、本発明の「作用」について説明する。
請求項１に記載の発明によると、グロメットに突設されたパッキン押さえリブは、ケース本体の下端部に設けられたパッキンに対して圧接される。そのため、パッキン押さえリブがパッキンを押す力とパッキンが元の形状に戻ろうとする反力によって、グロメットとケース本体及びロアカバーとが密着される。つまり、グロメットとケース本体及びロアカバーとの間に隙間が生じにくくなる。よって、これらの隙間を介して電気接続箱内に水が侵入するのを防止することができる。
【００１０】
また、グロメットに突設された突起が、切欠部に設けられた被係合部と係合する。そのため、水が突起と被係合部との間を通過して侵入しようとしても、突起によって阻まれる。よって、隙間を介して電気接続箱内に水が侵入するのをより確実に防止することができる。また、グロメットに対してワイヤハーネスが外部に引き出される方向に力を加えた場合、突起が被係合部に引っ掛かる。その結果、グロメットの動きが止められる。従って、グロメットが電気接続箱から抜けてしまうのを防止することができる。
【００１１】
さらに、グロメットに対してワイヤハーネスが外部に引き出される方向に力を加えた場合、突起が被係合部に引っ掛かるばかりでなく、パッキン押さえリブがパッキン収容溝の側壁に引っ掛かる。従って、グロメットが電気接続箱から抜けてしまうのを確実に防止することができる。
【００１２】
【発明の実施の形態】
以下、本発明を自動車用の電気接続箱に具体化した電気接続箱の防水構造の一実施形態を図１〜図３に基づき詳細に説明する。
【００１３】
図１及び図２に示すように、電気接続箱１１は、アッパカバー１２及びロアカバー１３をケース本体としての電装品装着ブロック１４に被せることによって構成されている。電装品装着ブロック１４は略直方体状をなしている。電装品装着ブロック１４の内部には、図示しない電装品が装着されるようになっている。電装品装着ブロック１４の外側面における上部には、フランジ部１５が複数箇所に設けられている。図２に示すように、フランジ部１５の上面にはアッパカバー１２の下端面が当接するようになっている。図１に示すように、電装品装着ブロック１４の外側面における下端部には、係止突起１６が複数箇所に設けられている。電装品装着ブロック１４の下面には、複数の図示しない電線が接続されている。これらの電線は、テープによって１つにまとめられることにより、ワイヤハーネスを構成している。
【００１４】
電装品装着ブロック１４の下端部周縁には、外壁１７ａ及び内壁１７ｂが下側方向に向けて突設されている。これら外壁１７ａと内壁１７ｂとの隙間がパッキン収容溝１７になっている。パッキン収容溝１７の深さは内壁１７ｂの高さと同一になっている。外壁１７ａの突出量は、内壁１７ｂの突出量よりも大きくなっている。外壁１７ａ及び内壁１７ｂの下端部はテーパを有している。パッキン収容溝１７内にはゴム製のパッキン１８が収容されている。パッキン１８はパッキン収容溝１７における最奥部まで挿入されている。パッキン１８は帯状のゴム材を環状にすることによって形成されている。そのため、パッキン１８には継ぎ目が生じている。
【００１５】
電装品装着ブロック１４の下側には、前記ロアカバー１３が取り付けられている。前記ロアカバー１３は上部開口を有している。ロアカバー１３の外側面における上端部には、コ字状の被係止部１９が前記係止突起１６と対応するように配置されている。ロアカバー１３の側壁１３ａには、内側方向に折れ曲がる屈曲部２０が設けられている。それとともに、ロアカバー１３の側壁１３ａにおける内壁面には、複数のリブ２１が略縦方向に延びるように等間隔に形成されている。リブ２１は、側壁１３ａにおける内壁面に沿ってく字状に形成されている。
【００１６】
また、ロアカバー１３における側壁１３ｂには、ワイヤハーネスを外部に引き出すための切欠部２２が形成されている。切欠部２２は、Ｕ字状に形成されている。切欠部２２の周縁部にはＵ字状の突出部２３が設けられている。突出部２３の内周面には被係合部としての係合溝２３ａが設けられている。
【００１７】
切欠部２２にはゴム製のグロメット２４が嵌合されている。グロメット２４は前記パッキン１８よりも硬質のゴム材を用いて形成されている。グロメット２４は、ロアカバー１３の側壁１３ｂから外方に突出している。グロメット２４には、前記ワイヤハーネスが挿通されるようになっている。グロメット２４は円筒状をなしている。グロメット２４は基端部としての係合部２５及び筒部２６を一体形成したものである。係合部２５は、外側部２５ａと内側部２５ｂとからなっている。筒部２６は外側部２５ａからワイヤハーネスが引き出される方向に突出している。筒部２６には複数の蛇腹２６ａが設けられている。これらの蛇腹２６ａがあることによって、筒部２６が屈曲できるようになっている。筒部２６の先端部は上部を切り欠いた状態となっている。また、グロメット２４をロアカバー１３に嵌合した状態において、グロメット２４の係合部２５における上端面の高さは、ロアカバー１３の上端縁の高さと一致するようになっている。
【００１８】
図３に示すように、グロメット２４の係合部２５における外周面上側には、パッキン押さえリブ２７が外側部２５ａと内側部２５ｂとに挟持された状態で突設されている。パッキン押さえリブ２７は係合部２５と一体形成されている。図１に示すように、パッキン押さえリブ２７は可能な限り長く形成されている。パッキン押さえリブ２７は前記パッキン収容溝１７の延びる方向に沿って直線状に形成されている。パッキン押さえリブ２７の長さは、外側部２５ａ及び内側部２５ｂの幅よりも小さくなっている。本実施形態では、パッキン押さえリブ２７の長さを２０〜３０ｍｍとしている。また、パッキン押さえリブ２７の高さは５〜１０ｍｍとなっている。図３に示すように、パッキン押さえリブ２７はパッキン収容溝１７内に配置されている。パッキン押さえリブ２７の板厚は、パッキン収容溝１７の幅よりも小さくなっている。パッキン収容溝１７の側壁面とパッキン押さえリブ２７の側面との間には若干の遊びが設けられている。パッキン押さえリブ２７はパッキン１８の下側面に対して圧接されている。パッキン押さえリブ２７の上端はフラットになっている。また、グロメット２４の係合部２５における外周面下側には、突起２８が３箇所に突設されている。これらの突起２８は前記係合溝２３ａと対応するように配置されている。
【００１９】
次に、この電気接続箱１１を作製する方法を詳述する。
まず、グロメット２４に突設された複数の突起２８を、突出部２３に設けられた係合溝２３ａに係合させる。また、電装品装着ブロック１４のパッキン収容溝１７にパッキン１８を挿入する。それとともに、ワイヤハーネスをグロメット２４に挿通させる。次に、グロメット２４に突設されたパッキン押さえリブ２７を、電装品装着ブロック１４の下端部に設けられたパッキン収容溝１７に収容して、パッキン１８と圧接させる。それとともに、係止突起１６と被係止部１９とを嵌合させる。その結果、電装品装着ブロック１４の下側にロアカバー１３が結合される。
【００２０】
この状態において、パッキン１８はゴム製であるため、変形したパッキン１８には元の形状に戻ろうとする反力が働く。よって、グロメット２４と電装品装着ブロック１４との間に隙間が生じにくくなる。ゆえに、その隙間からは水の侵入が困難になる。また、突起２８は複数箇所に設けられている。そのため、水が突起２８と係合溝２３ａとの間を通過して侵入しようとしても、突起２８によって阻まれる。
【００２１】
次に、グロメット２４からワイヤハーネスを引き出す。この場合、グロメット２４に対してワイヤハーネスを外部に引き出す方向に力が加わる。そのため、グロメット２４はロアカバー１３の外側方向に移動しようとしても、突起２８が係合溝２３ａの内側面に引っ掛かる。それとともに、パッキン押さえリブ２７はパッキン収容溝１７の外壁１７ａに引っ掛かる。その結果、グロメット２４の動きが止められる。
【００２２】
その後、電装品装着ブロック１４の上側にアッパカバー１２を被せることにより電気接続箱１１が構成される。
従って、本実施形態によれば以下のような効果を得ることができる。
【００２３】
（１）グロメット２４に突設されたパッキン押さえリブ２７は、電装品装着ブロック１４の下端部に設けられたパッキン１８に対して圧接される。パッキン押さえリブ２７がパッキン１８を押す力とパッキン１８が元の形状に戻ろうとする反力によって、グロメット２４と電装品装着ブロック１４及びロアカバー１３とが密着される。よって、この隙間を介して電気接続箱１１内に水が侵入するのを防止することができる。
【００２４】
（２）グロメット２４に突設された複数の突起２８が、切欠部２２に設けられた係合溝２３ａと係合する。そのため、水が突起２８と係合溝２３ａとの間を通過して侵入しようとしても、突起２８によって阻まれる。よって、隙間を介して電気接続箱１１内に水が侵入するのをより確実に防止することができる。また、グロメット２４に対してワイヤハーネスが外部に引き出される方向に力を加えた場合、突起２８が係合溝２３ａに引っ掛かる。その結果、グロメット２４の動きが止められる。従って、グロメット２４が電気接続箱１１から抜けてしまうのを防止することができる。
【００２５】
（３）グロメット２４に対してワイヤハーネスが外部に引き出される方向に力を加える。この場合、グロメット２４の下側にある突起２８が係合溝２３ａの側壁に引っ掛かるばかりでなく、グロメット２４の上側にあるパッキン押さえリブ２７がパッキン収容溝１７の外壁１７ａに引っ掛かる。その結果、グロメット２４の動きが止められる。従って、上下２箇所における抜け止めが図られることになり、グロメット２４が電気接続箱１１から抜けてしまうのを確実に防止することができる。
【００２６】
（４）ロアカバー１３の側壁１３ａには、内側方向に折れ曲がる屈曲部２０が設けられている。それとともに、ロアカバー１３の側壁１３ａにおける内壁面には、複数のリブ２１が略縦方向に延びるように設けられている。よって、ロアカバー１３に対して外力が作用した場合でも、ロアカバー１３の変形を防止することができる。
【００２７】
（５）パッキン１８は電装品装着ブロック１４側に設けられている。そのため、パッキン１８を切欠部２２の形状に合わせて複雑な形状にする必要がない。ゆえに、パッキン１８の形状を簡略化することができる。従って、パッキン１８の製造コストを減少させることができる。
【００２８】
なお、本発明の実施形態は以下のように変更してもよい。
・前記実施形態では、突起２８はグロメット２４の係合部２５における下側のみに突設されていた。しかし、図４に示すように、突起２８をグロメット２４の係合部２５における上側に設け、突起２８をパッキン収容溝１７の内壁１７ｂに当接させてもよい。このように構成すれば、グロメット２４が電気接続箱１１からワイヤハーネスが引き出される方向に移動した場合、突起２８は係合溝２３ａの側壁に加えて、パッキン収容溝１７の内壁１７ｂにも引っ掛かる。その結果、グロメット２４の動きが止められる。従って、グロメット２４が電気接続箱１１から抜けてしまうのをより確実に防止することができる。
【００２９】
・前記実施形態では、電装品装着ブロック１４の下端縁はグロメット２４の係合部２５の上面に当接していた。しかし、図５に示すように、係合部２５の上面に溝部３１を設け、同溝部３１に電装品装着ブロック１４の下端縁を挿入するようにしてもよい。このように構成すれば、グロメット２４が電気接続箱１１からワイヤハーネスが引き出される方向に移動した場合、電装品装着ブロック１４の下端縁が溝部３１の側壁に引っ掛かる。その結果、グロメット２４の動きが止められる。従って、グロメット２４が電気接続箱１１から抜け落ちてしまうのをより確実に防止することができる。
【００３０】
・前記実施形態では、ロアカバー１３の側壁１３ａには内側方向に折れ曲がる屈曲部２０が設けられていた。しかし、屈曲部２０は外側方向に折れ曲がっていてもよい。
【００３１】
・前記実施形態では、グロメット２４の係合部２５における外周面には複数の突起２８が突設されるとともに、切欠部２２には突起２８を係合するための係合溝２３ａが設けられていた。しかし、突起２８はグロメット２４の係合部２５において１箇所のみに突設されていてもよい。
【００３２】
・前記実施形態では、パッキン１８は帯状のゴム材を環状にすることによって形成されていた。しかし、パッキン１８の成形時において、環状のパッキン１８を成形してもよい。
【００３３】
・前記実施形態では、パッキン１８がパッキン収容溝１７内に収容されていた。しかし、パッキン１８を外壁１７ａ及び内壁１７ｂのうち少なくともいずれか一方の下端面に設けてもよい。また、外壁１７ａ及び内壁１７ｂを設けずに、電装品装着ブロック１４の下端面にパッキン１８を設けてもよい。
【００３４】
・前記実施形態では、パッキン押さえリブ２７の上端はフラットになっていた。しかし、パッキン押さえリブ２７の上端を尖らせてもよい。このように構成すれば、パッキン押さえリブ２７がパッキン１８の下側面に対してより確実に圧接する。従って、グロメット２４が電気接続箱１１から抜けてしまうのをより確実に防止することができる。
【００３５】
次に、特許請求の範囲に記載された技術的思想のほかに、前述した実施形態によって把握される技術的思想をその効果とともに以下に列挙する。
（１）請求項１〜３において、前記ロアカバーの側壁に内側方向に折れ曲がる屈曲部を設けるとともに、前記ロアカバーの内壁面においてリブを略縦方向に延びるように設けたことを特徴とする電気接続箱の防水構造。よって、技術的思想（１）によれば、ロアカバーの変形を防止することができる。
【００３６】
（２）ケース本体の下端部に対応するようにパッキン押さえリブを配置するとともに、前記下端部及びロアカバーに形成された切欠部に対応するように複数の突起を配置した係合部と、自由に曲げることが可能な蛇腹部とからなり、内部にワイヤハーネスを挿通するようにしたことを特徴とするグロメット。
【００３７】
【発明の効果】
以上詳述したように、請求項１に記載の発明によれば、隙間を介して電気接続箱内に水が侵入するのを確実に防止することができる。
【００３９】
また、グロメットが電気接続箱から抜けてしまうのを確実に防止することができる。
【図面の簡単な説明】
【図１】本実施形態における電気接続箱の分解斜視図。
【図２】同じく、電気接続箱の全体断面図。
【図３】同じく、電気接続箱の要部断面図。
【図４】別例における電気接続箱の要部断面図。
【図５】他の別例における電気接続箱の要部断面図。
【図６】従来技術における電気接続箱の分解斜視図。
【図７】同じく、電気接続箱の全体断面図。
【図８】同じく、電気接続箱の要部断面図。
【符号の説明】
１１…電気接続箱、１３…ロアカバー、１３ｂ…側壁、１４…ケース本体としての電装品装着ブロック、１７…パッキン収容溝、１８…パッキン、２２…切欠部、２３ａ…被係合部としての係合溝、２４…グロメット、２５…基端部としての係合部、２５ａ…外側部、２５ｂ…内側部、２７…パッキン押さえリブ、２８…突起。
【図１】
0003562426.tif 000002
【図２】
0003562426.tif 000003
【図３】
0003562426.tif 000004
【図４】
0003562426.tif 000005
【図５】
0003562426.tif 000006
【図６】
0003562426.tif 000007
【図７】
0003562426.tif 000008
【図８】
0003562426.tif 000009